(57)【要約】      （修正有）【課題】ワイヤ状体の外側に、外表面の長さ方向に線状の凹部と凸部を有するホースを被せ、複数のワイヤ状体とホースの組合せたものを上記凹凸部を嵌め合せてワイヤ状体を整列させるホースを提供する。【解決手段】ホースには、貫通孔１０が存在し、本ホースの外表面には、凹部２０及び凸部３０が設けられており、この凹部２０及び凸部３０の形状は、相補関係にあり、且つ、この凹部２０及び凸部３０は、嵌り合い、しっかりと結合する。本ホースは、その外表面の凹部２０及び凸部３０の相互の結合により整列対象物の表面を覆う。整列対象物は、例えば、コード付イヤホンのコードや造花の茎部等のワイヤ状のものが相当する。【選択図】図１
0003151112.tif 000002
【実用新案登録請求の範囲】
【請求項１】
貫通孔を有し、外表面に凹部及び凸部が設置されており、該凹部及び該凸部は相補関係の形状をしていることを特徴とするホース。
【請求項２】
前記凹部及び前記凸部が全てホースの軸方向に設置されていることを特徴とする請求項１に記載のホース。
【請求項３】
前記凹部及び前記凸部が全てホースの横方向に設置されていることを特徴とする請求項１に記載のホース。
【請求項４】
前記凹部が前記凸部の反対側に設置されている請求項２に記載のホース。
【請求項５】
反対側に配された前記凹部及び前記凸部が軸方向に交互に設置されている請求項４に記載のホース。
【請求項６】
前記貫通孔の形状が円形、長方形或いは不規則形状である請求項１に記載のホース。
【請求項７】
前記凹部及び前記凸部の形状が全て円形である請求項１に記載のホース。
【請求項８】
前記凹部の形状が楕円形であり、前記凸部の形状が逆フック形である請求項１に記載のホース。
【請求項９】
前記相補関係の形状の前記凹部及び前記凸部が少なくとも一対設けられている請求項１に記載のホース。
【請求項１０】
ゴム材料で製作されていることを特徴とする請求項１に記載のホース。
【考案の詳細な説明】
【技術分野】
【０００１】
本考案は、ホースに関する。
【背景技術】
【０００２】
日常生活において、人々は音楽を聴いた後に、ＭＰ３プレーヤをコード付きのイヤホンと一緒に鞄の中に入れる。コード付きのイヤホンは通常、無秩序な状態でしまいこまれる。鞄の中から物を取り出す場合には、イヤホンのコードが邪魔になり不便である。また、人々は、コード付きの携帯機器用充電器を携帯機器の充電に使用した後に、例えばコードを折って紐で縛る等して整えるが、不便であり、且つ、美観もよくない。また、生け花の製作者がプラスチック製の造花を製作する場合、一輪の花毎に花の根を一本のワイヤで形成し、また、複数本のワイヤを縛ることにより、一束のプラスチック製の造花を製作するが、複数本のワイヤを整列し、綺麗に見せることは容易ではない。
【考案の概要】
【考案が解決しようとする課題】
【０００３】
本考案が解決する課題は、対象物を整列するのに使用するホースを提供することである。
【課題を解決するための手段】
【０００４】
上記課題を解決するために、本考案は、貫通孔を有し、外表面に凹部及び凸部が設けられており、該凹部及び該凸部は相補関係の形状をしていることを特徴とするホースを提供する。
本考案に係るホースは、前記凹部及び前記凸部が全てホースの軸方向に設置されている。
本考案に係るホースは、前記凹部及び前記凸部が全てホースの横方向に設置されている。
本考案に係るホースは、前記凹部が前記凸部の反対側に設置されている。
本考案に係るホースは、前記相対位置の前記凹部及び前記凸部が軸方向に交互に設置されている。
本考案に係るホースは、前記貫通孔の形状が円形、長方形或いは不規則形状である。
本考案に係るホースは、前記凹部及び前記凸部の形状が全て円形である。
本考案に係るホースは、前記凹部の形状が楕円形であり、前記凸部の形状が逆フック形である。
本考案に係るホースは、前記相補関係の形状の前記凹部及び前記凸部が少なくとも一対設けられている。
本考案に係るホースは、ゴム材料で製作されている。
上述の課題を解決するために、本考案に係るホースは、整列すべき対象物を覆い、ホースの外表面の凹部と他のホースの外表面の凸部とを相互に結合する。例えば、各ホースで整列対象の軟性バー形状物体を巻く。また、整列対象の複数の軟性バー形状物体を、複数のホースで覆い、その外表面の凹部と凸部とを相互に結合することにより、連結し、簡単に整列させることができる。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本考案が提供するホースの構造図である。
【図２】本考案が提供する２本のホースを結合した構造図である。
【図３】本考案が提供する他のホースの構造図である。
【考案を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
本考案が解決する課題、解決手段及び効果をより明確に説明するために、以下では、図を参照しながら、本考案について更に詳しく説明する。なお、ここで説明する実施例は、本考案の解釈に採用されるものであり、本考案を限定するものではない。
【０００９】
図１〜図３は、本考案の実施例に係るホースである。本ホースには、貫通孔１０が存在し、本ホースの外表面には、凹部２０及び凸部３０が設けられており、この凹部２０及び凸部３０の形状は、相補関係にあり、且つ、この凹部２０及び凸部３０は、嵌り合い、しっかりと結合する。本ホースは、その外表面の凹部２０及び凸部３０の相互の結合により整列対象物の表面を覆う。
【００１０】
本考案の実施例では、当該凹部２０及び凸部３０は、ホースの軸方向或いは軸の横方向に沿って設けられる。軸方向に設置される凹部２０及び凸部３０の場合、当該ホースの外表面の凹部２０は、凸部３０の反対側に設置できる。本考案の他の実施例では、相対位置に設置された凹部２０及び凸部３０は、軸方向に交替でホースの外表面に設置される。当該実施例では、ホースの外表面の片側に、凹部２０及び凸部３０を、凹部２０から凸部３０へという順序で均一的に設置した場合、ホースの外表面の反対側に、凹部２０及び凸部３０を、凸部３０から凹部２０へという順序で設置する。
【００１１】
凹部２０は、当該ホースの外表面が内側へ凹んだ楕円状の凹部である。凸部３０は、凹部２０の相対位置に存するホースの外表面が外側へ突出した逆フック形状の凸部である。凹部２０及び凸部３０の形状は相補関係の形状をしており、凹部２０と凸部３０とは、相互に嵌り合い、しっかりと結合する。本考案の他の実施例の凹部２０の形状は、ホースの外表面が内側へ凹んだ円形状の凹部である。凸部３０の形状は、ホースの外表面が外側へ突出した円形状の凸部である。当該凹部２０と当該凸部３０とは、相補関係の形状をしており、相互に嵌り合い、しっかりと結合する。なお、他の方式で形成する凹部２０及び凸部３０の構造でも、当該凹部２０及び凸部３０が相互に嵌り合い、しっかりと結合できるのであればよい。ここでは、一々例を挙げて、この凹部２０及び凸部３０の構造について説明はしない。
【００１２】
しかし、当該ホースの外表面に一対の相補関係にある凹部２０及び凸部３０を設置でき、或いは、必要に応じて、複数対の相補関係にある凹部２０及び凸部３０をも設置できる。当該ホースは、ゴム材料を採用して製作し、当該ホースの軟性度及び貫通孔の大きさは全て必要により設定でき、当該ホースの貫通孔の形状は円形、長方形或いは不規則形状等にすることができる。
【００１３】
以下では例を挙げて本考案の使用方法を説明する。
【００１４】
コード付きのイヤホンの場合、本考案が提供するホースでコードの表面を覆い、或いはこのイヤホンのコードを生産するときに、射出成型により当該コードを、凹部２０及び凸部３０の存するホースで被覆する。人々がＭＰ３プレーヤで音楽を聴いた後に、ホース付きのイヤホンのコードは、そのホース凹部２０及び凸部３０が相互に嵌り合うことにより、整列される。従って、ＭＰ３プレーヤ用のイヤホンのコードの見た目がよい。コード付きの携帯充電器の場合でも、同様であるから、ここでは繰り返し述べないことにする。
【００１５】
また、例えば、生け花の製作者は、一束のプラスチック製の造花を製作する場合に、一輪の花毎に花の根を一本のワイヤで形成するが、このワイヤ表面を本考案に係るホースで覆い、それから、各ホースの外表面の凹部２０及び凸部３０を相互に嵌め合わせることにより、複数のホースをしっかりと結合して複数本のワイヤを一体とし、一束の綺麗なプラスチック製の造花を製作する。
【００１６】
以上からわかるように、本考案が提供するホースは、対象物を覆い、ホースの外表面の凹部と他のホースの該表面の凸部とを相互に結合する。例えば、各ホースで整列対象の軟性バー形状物体を巻く。また、整列対象の複数の軟性バー形状物体を、複数のホースで覆い、その外表面の凹部と凸部とを相互に結合することにより、連結し、簡単に整列させることができる。
【００１７】
以上の説明は、ただ本考案の比較的に優れる実施例であり、本考案を限定する意味はない。本考案の思想の下に行う全ての訂正、交換及び改良は、全て本考案の保護範囲に含まれる。
【符号の説明】
【００１８】
１０  貫通孔、２０  凹部、３０  凸部
【図１】
0003151112.tif 000003
【図２】
0003151112.tif 000004
【図３】
0003151112.tif 000005